(57)【特許請求の範囲】
【請求項１】
利用客が現金を投入する現金投入口と、現金投入口から投入された現金を鑑別したり現金の金額を計数したりする鑑別計数部と、鑑別計数部で計数した現金を金種別に収納する複数の現金収納部と、現金収納部から所定の釣銭をカウントして取り出す釣銭取り出し手段と、売上金を回収するとき現金収納部に収納した現金を収集する収集部とを具備する自動販売機の現金処理システムにおいて、釣銭準備金も含んだ現金から売上金を取り出す際、自動販売機の内部メモリにカウントされている販売実績データの金額分だけの現金を現金収納部から収集部に搬送すると共に高額の金種の現金を優先的に収集部に搬送して現金収納部に低額の金種の現金を釣銭準備金として残すように制御をするものであって、前記収集部として、金種毎に硬貨を収集する複数の硬貨金庫を備えたことを特徴とする自動販売機の現金処理システム。
【発明の詳細な説明】
【０００１】
【発明の属する技術分野】
本発明は、自動券売機、自動精算機、自動商品販売機等の自動販売機における現金処理システムに関するものである。
【０００２】
【従来の技術】
自動券売機等は、定期的に売上金を回収する（以下これを人、機器の動作を含めて締め切り業務という）ために、その品物をいくつ販売したか、機器内部メモリ上にカウントしている。締め切り業務においては、これと機器内部の現金回収金額に整合がとれているか確認することが一般的である。また自動券売機等の締め切り業務は全ての現金を金庫のような収集部に回収するため、利用客の投入金や様々な単価の商品選択に備えて、再度釣銭の現金としての釣銭準備金を補充しているのが現状である。よって締め切り業務は後方処理として現金回収金額から釣銭準備金を減算し、純売上高を算出する作業が必要である。そこで締め切り業務時における人間が介在しなければならない作業を列記すると下記の（ア）〜（エ）の通りである。
【０００３】
（ア）純売上高の算出作業
一般的な自動券売機等では、全ての現金を金庫のような収集部に回収するが故に、回収した現金金額から純売上高を算出するには、釣銭用として補充した釣銭準備金を減算する必要がある。
【０００４】
（イ）釣銭準備金の計数作業
自動券売機等から全ての現金を回収すると、当然ながら釣銭準備金を補充する必要がある。釣銭準備金額は純売上高算出時に必要な値であることから、別途計数機で枚数を計数しなければならない。
【０００５】
（ウ）釣銭準備金の補充作業
上記（イ）で計数した釣銭準備金を自動券売機等へ運び、補充しなければならない。
【０００６】
（エ）現金回収時の回収ミス
現金の回収は、ホッパー内のディスクが回転し、金庫のような収集部に搬送して収集するが、硬貨がホッパー内の壁面に張り付いたり、硬貨同士が噛み込んだりして回収できなかった場合、純売上金額と販売実績データに不整合が生じる。
【０００７】
【発明が解決しようとする課題】
本発明は叙述の点に鑑みてなされたものであって、純売上金額だけの現金を収集できて純売上高の算出の手間を要しなく、また釣銭準備金の手間を削減でき、また現金の回収ミスをなくすことができる自動販売機の現金処理システムを提供することを課題とする。
【０００８】
【課題を解決するための手段】
上記課題を解決するため本発明の自動販売機の現金処理システムは、利用客が現金を投入する現金投入口１と、現金投入口１から投入された現金を鑑別したり現金の金額を計数したりする鑑別計数部２と、鑑別計数部２で計数した現金を金種別に収納する複数の現金収納部３と、現金収納部３から所定の釣銭をカウントして取り出す釣銭取り出し手段と、売上金を回収するとき現金収納部３に収納した現金を収集する収集部４とを具備する自動販売機の現金処理システムにおいて、釣銭準備金も含んだ現金から売上金を取り出す際、自動販売機の内部メモリ５にカウントされている販売実績データの金額分だけの現金を現金収納部３から収集部４に搬送すると共に高額の金種の現金を優先的に収集部４に搬送して現金収納部３に低額の金種の現金を釣銭準備金として残すように制御をするものであって、前記収集部４として、金種毎に硬貨を収集する複数の硬貨金庫４ａ１、４ａ２、４ａ３、４ａ４を備えたことを特徴とする。
【０００９】
締め切り業務において現金を回収するとき、販売実績のデータの金額分だけ現金を搬送して収集部４に回収すると、売上高の算出作業をなくすことができて売上高の算出の労力を省くことができる。また販売実績のデータの金額分だけ現金を収集部４に搬送して回収できると共に高額の金種の現金を優先に収集部４に搬送して回収することができため、釣銭として必要な低額の現金が現金収納部３に残留することとなる。よって自動販売機に補充する釣銭準備金額が極少額となる。すなわち、多額の釣銭準備金を用意する必要がなくなると共に釣銭準備金を補給するカセットの小型、軽量化が実現できる。
【００１０】
また純売上金のみを回収すると共に高額の金種の現金を回収するため、純売上金の重量、体積は以前と比較して大幅に軽く、小さくなり、売上金の回収に要する労力低減に貢献できる。また釣銭準備金額の極小化に伴い、釣銭準備金額の自動販売機等へ運搬する労力を軽減できる。さらに販売実績データを基に純売上金額だけ回収するために販売実績データと純売上金額とに差違が発生し難い。
【００１１】
【発明の実施の形態】
本発明の対象となる自動販売機は、自動券売機、自動精算機、自動商品販売機等であるが、本実施の形態の例の場合、鉄道やバスの駅等に設置される切符用の自動券売機の例により説明する。
【００１２】
切符の自動券売機、図１に示すようなブロック図のように利用客が操作する旅客操作盤６、商品発売装置７、紙幣処理装置８、硬貨処理装置９、内部ＣＰＵ１０、内部メモリ５等で主体が構成されており、各部が商品や現金の搬送経路（二重線で繋いだ部分）や通信線（波線で繋いだ部分）にて図のように繋がっている。
【００１３】
旅客操作盤６には商品選択釦１２、商品取り出し口１３、現金投入口１、現金放出口１４が設けられている。商品選択釦１２は切符の場合、乗車区間に応じた金額釦等である。商品取り出し口１３は切符を取り出す部分である。現金投入口１としては硬貨を投入する硬貨投入口１ａと紙幣を投入する紙幣投入口１ｂとがある。現金放出口１４は釣銭等を放出する部分で、現金放出口１４には硬貨放出口１４ａと紙幣放出口１４ｂとがある。商品発売装置７は切符の場合は、印刷をしたり、磁気データを書き込んだりする部分である。紙幣処理装置８は現金のうち紙幣を処理するものであり、硬貨処理装置９は現金のうち硬貨を処理するものである。内部ＣＰＵ１０は旅客操作盤６、商品発売装置７、紙幣処理装置８、硬貨処理装置９等からの情報が入力されたり、これによって旅客操作盤６、商品発売装置７、紙幣処理装置８、硬貨処理装置９等を制御したりするものである。内部メモリ５は商品販売実績データ等を記憶しておくものである。
【００１４】
本発明の現金処理システムとしての硬貨処理装置９は図２に示すように構成されている。利用客が現金投入口１としての硬貨投入口１ａから硬貨を投入するようになっており、硬貨投入口１ａから投入した硬貨が鑑別計数部２としての硬貨鑑別計数部２ａに送られて硬貨が鑑別されると共に投入した金額が計数されるようになっている。この例の硬貨投入口１ａは複数枚の硬貨が一括投入できるようになっている。硬貨鑑別計数部２ａは硬貨を貯留する繰り出しホッパー１６と硬貨を送り出すディスク１７と金種を判別する電子検銭部１８とで構成されており、硬貨鑑別計数部２ａで硬貨投入口１ａから投入された硬貨の金額を認識したり、硬貨の正誤を判定したりできるようになっている。硬貨鑑別計数部２ａの電子検銭部１８で不良と判別された硬貨はディストリビュータ１９、放出経路２０ａを経て現金放出口１４としての硬貨放出口１４ａに放出されて除去されるようになっている。
【００１５】
硬貨鑑別計数部２ａで金額が計数されると共に不良硬貨が除去された硬貨は金種別に選別部２１で選別され、現金収納部３としての硬貨収納部３ａに送られ、硬貨を金種別に収納する各硬貨収納部３ａに収納されるようになっている。選別部２１は硬貨を外径により選別して５０円硬貨、１００円硬貨、１０円硬貨、５００円硬貨と振り分けるダイヤセレクターと称されるものである。硬貨収納部３ａは５０円硬貨収納部３ａ1、１００円硬貨収納部３ａ2、１０円硬貨収納部３ａ3、５００円硬貨収納部３ａ4等で構成されている。また各硬貨収納部３ａには硬貨をカウントして送り出すディスク２２を配置してある。釣銭はディスク２２でカウントして各硬貨収納部３ａから取り出され、コンベアべルト１１にて放出経路２０ｂを経て硬貨放出口１４ａに放出されるようになっている。また係員取り出し口２３は異常時等に係員が釣銭を取り出したりする部分である。
【００１６】
また売上金を回収するときは各硬貨収納部３ａのディスク２２が駆動されることでディストリビュータ２４を介して搬送されて現金の収集部４としての硬貨金庫４ａに収集されるようになっている。この硬貨金庫４ａは金種毎に硬貨を回収するものであり、夫々別体の５０円硬貨金庫４ａ1、１００円硬貨金庫４ａ2、１０円硬貨金庫４ａ3、５００円硬貨金庫４ａ4がある。この硬貨金庫４ａは売上金を回収するとき取り出されるようになっている。また釣銭金額を確保するために釣銭準備金として硬貨を補給する必要があるが、この釣銭を補給するために釣銭補給部２５を設けてある。本例の場合、釣銭補給部２５から鑑別計数部２としての硬貨鑑別計数部２ａに釣銭を補給できるようになっている。釣銭補給部２５はカセット式であり、本例の場合、１つの硬貨補給カセット２５ａから硬貨が補給されるようになっている。この硬貨補給カセット２５ａは着脱自在に装着してあり、硬貨補給カセット２５ａから開閉自在なシャッター２６を介して硬貨鑑別計数部２ａに釣銭準備金として釣銭を供給することができるようになっている。この硬貨補給カセット２５ａには任意の金種の硬貨を任意の枚数入れてある（１つのカセットに様々な金種を混ぜて入れてある）ものであり、この硬貨補給カセット２５ａから任意の金額の釣銭準備金が投入されるようになっている。釣銭を補給するために硬貨補給カセット２５ａをセットし、シャッター２６を開くと、硬貨鑑別計数部２ａに硬貨が供給され、硬貨鑑別計数部２ａで硬貨補給カセット２５ａから投入された釣銭準備金の硬貨の金額を認識したり、硬貨の正誤を判定したりできるようになっている。釣銭準備金として硬貨を硬貨補給カセット２５ａから供給するときは硬貨投入口１ａから利用客が硬貨を投入できないようになっている。この釣銭準備金としての釣銭を投入するとき硬貨鑑別計数部２ａの電子検銭部１８で不良と判別された硬貨はディストリビュータ１９を経てエラー準備金回収皿２７に回収されるようになっている。上記のように釣銭準備金としての硬貨が補給されるが、このとき補給した釣銭準備金の金額が内部メモリ５等に記録される。このとき、金種や枚数も記録されてもよい。硬貨鑑別計数部２ａで計数された釣銭準備金としての硬貨は金種毎に硬貨収納部３ａに貯留される。
【００１７】
本例の場合、釣銭準備金を硬貨補給カセット２５ａから硬貨鑑別計数部２ａに投入しているが、別途計数機で計数した金種別の硬貨をカセットから直接硬貨収納部３ａに投入する構造であってもよい。
【００１８】
また本発明の現金処理システムとしての紙幣処理装置８は図３に示すように構成されている。かかる紙幣処理装置８は硬貨の代わりに紙幣を取り扱うものであり、基本的な構造は硬貨処理装置９と同じである。利用客が現金投入口１としての紙幣投入口１ｂから紙幣を投入するようになっており、紙幣投入口１ｂから投入した紙幣が鑑別計数部２としての紙幣鑑別計数部２ｂに送られて紙幣が鑑別されると共に投入した金額が計数されるようになっている。紙幣投入口１ｂには紙幣が１枚づつ投入できるようになっている。鑑別計数部２としての紙幣鑑別計数部２ｂは紙幣鑑別部２８と紙幣の通過検知センサー２９とで構成されている。紙幣鑑別部２８は紙幣の金種を鑑別すると共に紙幣の正誤を検査するようになっている。紙幣鑑別部２８で不良と判定された紙幣は紙幣投入口１ｂに戻されるようになっている。
【００１９】
紙幣鑑別計数部２ｂを通過した紙幣は現金収納部３としての紙幣収納部３ｂに送られ、紙幣を金種別に収納する各紙幣収納部３ｂに収納されるようになっている。紙幣収納部３ｂには１０００円紙幣収納部３ｂ1、２０００円紙幣収納部３ｂ2、５０００円紙幣収納部３ｂ3、１００００円紙幣収納部３ｂ4等がある。上記紙幣の通過検知センサー２９は１０００円紙幣収納部３ｂ1、２０００円紙幣収納部３ｂ2、５０００円紙幣収納部３ｂ3、１００００円紙幣収納部３ｂ4に対応するように設けてあり、１０００円紙幣の通過を検知する１０００円通過検知センサー２９ａ、２０００円紙幣の通過を検知する２０００円通過検知センサー２９ｂ、５０００円紙幣の通過を検知する５０００円通過検知センサー２９ｃ、１００００円紙幣の通過を検知する１００００円通過検知センサー２９ｄを設けてある。また釣銭は紙幣収納部３ｂから適宜取り出して紙幣放出口１４ｂから放出できるようになっている。紙幣放出口１４ｂの近傍には紙幣を整列させる整列部を設けてあり、紙幣を整列部で整列させて放出できるようになっている。また売上金を回収するするときは各紙幣収納部３ｂから紙幣が送り出され、現金の収集部４としての紙幣金庫４ｂに収集されるようになっている。
【００２０】
また釣銭金額を確保するために釣銭を釣銭準備金として低額の紙幣を補給する必要があるが、この釣銭を補給するために釣銭補給部２５を設けてある。本例の場合、釣銭補給部２５から鑑別計数部２としての紙幣鑑別計数部２ｂに釣銭を補給できるようになっている。釣銭補給部２５はカセット式であり、本例の例の場合、１つの紙幣補給カセット２５ｂから低額の紙幣が補給されるようになっている。この紙幣補給カセット２５ｂは着脱自在に装着してあり、紙幣補給カセット２５ｂから紙幣鑑別計数部２ｂに釣銭準備金として低額の紙幣の釣銭を供給することができるようになっている。この紙幣補給カセット２５ｂには主に１０００円のような低額の紙幣が入れてあり（１０００円以外の紙幣を入れてある場合もある）、この紙幣補給カセット２５ｂから任意の金額の釣銭準備金の紙幣が投入されるようになっている。釣銭を補給するために紙幣補給カセット２５ｂをセットすると、紙幣鑑別計数部２ｂに紙幣が供給され、紙幣鑑別計数部２ｂで紙幣補給カセット２５ｂから投入された釣銭準備金の紙幣の金額を認識したり、紙幣の正誤を判定したりできるようになっている。釣銭準備金として紙幣を紙幣補給カセット２５ｂから供給するときは紙幣投入口１ｂから利用客が紙幣を投入できないようになっている。この釣銭準備金としての釣銭を投入するき紙幣鑑別計数部２ｂで不良と判別された紙幣はリジェクト紙幣回収部３０に回収されるようになっている。上記のように釣銭準備金としての紙幣が補給されるが、このとき補給した釣銭準備金の金額が内部メモリ５等に記録される。このとき、金種や枚数も記録されてもよい。紙幣鑑別計数部２ｂで計数された釣銭準備金としての紙幣は金種毎に紙幣収納部３ｂに貯留される。
【００２１】
本例の場合、釣銭準備金を紙幣補給カセット２５ｂから紙幣鑑別計数部２ｂに投入しているが、別途計数機で計数した金種別の紙幣を直接紙幣収納部３ｂに投入する構造であってもよい。
【００２２】
上記のように構成せる自動券売機で所定期間毎に（切符の自動券売機の場合、例えば１日毎に）売上金を回収したりするが、本発明の場合、内部メモリ５に記憶されている販売実績データに同じ金額の現金が現金収納部３としての硬貨収納部３ａ及び紙幣収納部３ｂから収集部４としての硬貨金庫４ａや紙幣金庫４ｂに搬送されるように内部ＣＰＵ１０にて硬貨処理装置９及び紙幣処理装置８が制御されると共に、上記金額の現金を高額な金種の現金を優先して硬貨収納部３ａ及び紙幣収納部３ｂから硬貨金庫４ａや紙幣金庫４ｂに搬送されるように内部ＣＰＵ１０にて硬貨処理装置９及び紙幣処理装置８が制御される。このとき、硬貨処理装置９及び紙幣処理装置８が別々に制御されて各装置で夫々高額の金種から取り出されるようにすることが望ましい。つまり、紙幣処理装置８では１００００円紙幣、５０００円紙幣、２０００円紙幣、１０００円紙幣の順に優先して取り出され、釣銭として主に必要な１０００円紙幣が残るようにされる。硬貨処理装置９でも、５００円硬貨、１００円硬貨、５０円硬貨、１０円硬貨の順に優先して取り出されるが、主に釣銭として不要な５００円硬貨が取り出され、釣銭として必要な１００円硬貨、５０円硬貨、１０円硬貨が多く残るようにされる。
【００２３】
上記のように構成せる自動券売機では下記の（ア）から（エ）のような利点がある。
【００２４】
（ア）駅運用に必要な現金が削減され、運用コストの大幅削減が見込める。
純売上金額のみを回収すると共に高額な金種を優先して現金を回収するため、釣銭として必要な低額の金種の現金の多くは必然的に自動券売機の現金収納部３に残留することとなる。よって自動券売機１台に補充する釣銭準備金の額が極少額となる。即ち、多額の釣銭準備金を駅に用意する必要がなくなり、結果として駅運用コストや現金管理に必要なコストの削減、釣銭準備金補給用のカセットの小型、軽量化が実現できる。
【００２５】
（イ）締め切り業務おける人的労力（売上金回収時）の低減が見込める。
自動券売機の内部にある現金を全て回収すると、相当な重量、体積となる。これらを別途準備されている硬貨計数機等へ人間が運搬するには大きな労力を必要としているのが現状である。しかしながら、純売上金額のみの回収とすると共に高額な金種を優先して回収するため、純売上金の重量、体積は以前と比較して大幅に軽く、小さくなり、係員の労力低減に貢献できる。
【００２６】
（ウ）締め切り業務における人的労力（釣銭準備金補充時）の低減が見込める。
釣銭準備金額の極小化に伴い、釣銭準備金額を自動券売機へ運搬する労力が軽減できる。
【００２７】
（エ）締め切り業務における販売実績データと純売上金額に差違が発生しない。
販売実績データを基に現金を回収するため、従来の全現金を回収することと比較して従来例の（エ）のような現象（硬貨の回収が全てできない）が発生し難い。よって販売実績データと純売上金額に差違が発生し難くなる。
【００２８】
なお、上記実施の形態の例では駅の自動券売機の例について述べたが、遊園地，映画館等の自動券売機でも同様に実施でき、また駅の自動精算機、清涼飲料、酒類、たばこ等の自動商品販売機でも同様に実施できる。
【００２９】
【発明の効果】
本発明は利用客が現金を投入する現金投入口と、現金投入口から投入された現金を鑑別したり現金の金額を計数したりする鑑別計数部と、鑑別計数部で計数した現金を金種別に収納する複数の現金収納部と、現金収納部から所定の釣銭をカウントして取り出す釣銭取り出し手段と、売上金を回収するとき現金収納部に収納した現金を収集する収集部とを具備する自動販売機の現金処理システムにおいて、釣銭準備金も含んだ現金から売上金を取り出す際、自動販売機の内部メモリにカウントされている販売実績データの金額分だけの現金を現金収納部から収集部に搬送すると共に高額の金種の現金を優先的に収集部に搬送して現金収納部に低額の金種の現金を釣銭準備金として残すように制御するので、締め切り業務において現金を回収するとき、販売実績のデータの金額分だけ現金を搬送して収集部に回収することができて売上高の算出作業をなくすことができて売上高の算出の労力を省くことができるものであり、また販売実績のデータの金額分だけ現金を収集部に搬送して回収できると共に高額の金種の現金を優先に収集部に搬送して回収することができるため、釣銭として必要な低額の現金が現金収納部に残留することとなり、よって自動販売機に補充する釣銭準備金額が極少額となり、多額の釣銭準備金を用意する必要がなくなると共に釣銭準備金を補給するカセットの小型、軽量化が実現できるものであり、また純売上金をのみを回収すると共に高額の金種の現金を回収するため、純売上金の重量、体積は以前と比較して大幅に軽く、小さくなり、売上金の回収に要する労力低減に貢献できるものであり、また釣銭準備金額の極小化に伴い、釣銭準備金額の自動販売機へ運搬する労力を軽減できるものであり、さらに販売実績データを基に純売上金額だけ回収するために販売実績データと純売上金額とに差違が発生し難いものである｛販売実績データから回収金を決めるので、過不足金額が発生しない、または発生し得ない。またホッパー内の一部しか回収しないので、回収漏れ（ポッパーの壁に張り付く等）が発生しにくい｝。
【図面の簡単な説明】
【図１】  本発明の実施の形態の一例の自動販売機のブロック図である。
【図２】  同上の硬貨処理装置の構造を説明する説明図である。
【図３】  同上の紙幣処置装置の構造を説明する説明図である。
【符号の説明】
１  現金投入口
２  鑑別計数部
３  現金収納部
４  収集部
５  内部メモリ
【図１】
0004685222.tif 000002
【図２】
0004685222.tif 000003
【図３】
0004685222.tif 000004